【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
印刷ジョブと後処理ジョブを含むジョブを取得する取得手段と、
前記印刷ジョブを実行するデバイスと、前記後処理ジョブを実行するデバイスと、を選択するための選択画面を表示部に表示する表示制御手段と、
前記印刷ジョブを実行するデバイスと、前記後処理ジョブを実行するデバイスとを決定する決定手段と、
前記印刷ジョブを実行するデバイスとして決定されたデバイスに前記印刷ジョブを送信し、前記後処理ジョブを実行するデバイスとして決定されたデバイスに前記後処理ジョブを送信する送信手段と、を有し、
前記選択画面は、前記印刷ジョブを実行するデバイスの候補として、前記印刷ジョブを実行可能で、前記後処理ジョブを実行不可能な第１のデバイスと、前記印刷ジョブと前記後処理ジョブの両方を実行可能な第２のデバイスと、を少なくとも含み、かつ、前記後処理ジョブを実行するデバイスの候補として、前記印刷ジョブと前記後処理ジョブの両方を実行可能な前記第２のデバイスと、前記印刷ジョブを実行不可能で、前記後処理ジョブを実行可能な第３のデバイスと、を少なくとも含み、
前記第２のデバイスは、前記印刷ジョブを実行するデバイスの候補として、かつ、前記後処理ジョブを実行するデバイスの候補として、表示され、
前記後処理ジョブを実行するデバイスは、前記選択画面を介して選択されたデバイスに基づいて決定され、
前記第２のデバイスが前記後処理ジョブを実行するデバイスとして選択された場合、前記第２のデバイスは前記印刷ジョブを実行するデバイスとして自動的に決定される
ことを特徴とする情報処理装置。
【請求項２】
前記印刷ジョブおよび前記後処理ジョブを含むジョブ情報を前記表示部に表示する
ことを特徴とする請求項１に記載の情報処理装置。
【請求項３】
前記選択画面は、ジョブを振り分けるための振り分け条件を設定するための設定部を含む
ことを特徴とする請求項１に記載の情報処理装置。
【請求項４】
印刷ジョブと後処理ジョブを含むジョブを取得する取得工程と、
前記印刷ジョブを実行するデバイスと、前記後処理ジョブを実行するデバイスと、を選択するための選択画面を表示部に表示する表示制御工程と、
前記印刷ジョブを実行するデバイスと、前記後処理ジョブを実行するデバイスとを決定する決定工程と、
前記印刷ジョブを実行するデバイスとして決定されたデバイスに前記印刷ジョブを送信し、前記後処理ジョブを実行するデバイスとして決定されたデバイスに前記後処理ジョブを送信する送信工程と、を有し、
前記選択画面は、前記印刷ジョブを実行するデバイスの候補として、前記印刷ジョブを実行可能で、前記後処理ジョブを実行不可能な第１のデバイスと、前記印刷ジョブと前記後処理ジョブの両方を実行可能な第２のデバイスと、を少なくとも含み、かつ、前記後処理ジョブを実行するデバイスの候補として、前記印刷ジョブと前記後処理ジョブの両方を実行可能な前記第２のデバイスと、前記印刷ジョブを実行不可能で、前記後処理ジョブを実行可能な第３のデバイスと、を少なくとも含み、
前記第２のデバイスは、前記印刷ジョブを実行するデバイスの候補として、かつ、前記後処理ジョブを実行するデバイスの候補として、表示され、
前記後処理ジョブを実行するデバイスは、前記選択画面を介して選択されたデバイスに基づいて決定され、
前記第２のデバイスが前記後処理ジョブを実行するデバイスとして選択された場合、前記第２のデバイスは前記印刷ジョブを実行するデバイスとして自動的に決定される
ことを特徴とする情報処理装置の制御方法。
【請求項５】
前記選択画面は、ジョブを振り分けるための振り分け条件を設定するための設定部を含む
ことを特徴とする請求項４に記載の情報処理装置の制御方法。
【請求項６】
印刷ジョブと後処理ジョブを含むジョブを取得する取得工程と、
前記印刷ジョブを実行するデバイスと、前記後処理ジョブを実行するデバイスと、を選択するための選択画面を表示部に表示する表示制御工程と、
前記印刷ジョブを実行するデバイスと、前記後処理ジョブを実行するデバイスとを決定する決定工程と、
前記印刷ジョブを実行するデバイスとして決定されたデバイスに前記印刷ジョブを送信し、前記後処理ジョブを実行するデバイスとして決定されたデバイスに前記後処理ジョブを送信する送信工程と、を有し、
前記選択画面は、前記印刷ジョブを実行するデバイスの候補として、前記印刷ジョブを実行可能で、前記後処理ジョブを実行不可能な第１のデバイスと、前記印刷ジョブと前記後処理ジョブの両方を実行可能な第２のデバイスと、を少なくとも含み、かつ、前記後処理ジョブを実行するデバイスの候補として、前記印刷ジョブと前記後処理ジョブの両方を実行可能な前記第２のデバイスと、前記印刷ジョブを実行不可能で、前記後処理ジョブを実行可能な第３のデバイスと、を少なくとも含み、
前記第２のデバイスは、前記印刷ジョブを実行するデバイスの候補として、かつ、前記後処理ジョブを実行するデバイスの候補として、表示され、
前記後処理ジョブを実行するデバイスは、前記選択画面を介して選択されたデバイスに基づいて決定され、
前記第２のデバイスが前記後処理ジョブを実行するデバイスとして選択された場合、前記第２のデバイスは前記印刷ジョブを実行するデバイスとして自動的に決定される、方法をコンピュータにより実行させるためのプログラムを記憶した
ことを特徴とするコンピュータで読み取り可能な記憶媒体。
【手続補正２】
【補正対象書類名】明細書
【補正対象項目名】発明の名称
【補正方法】変更
【補正の内容】
【発明の名称】情報処理装置、情報処理装置の制御方法、及び記憶媒体
【手続補正３】
【補正対象書類名】明細書
【補正対象項目名】０００１
【補正方法】変更
【補正の内容】
【０００１】
本発明は、情報処理装置、情報処理装置の制御方法、及び記憶媒体に関するものである。
【手続補正４】
【補正対象書類名】明細書
【補正対象項目名】０００８
【補正方法】変更
【補正の内容】
【０００８】
上記目的を達成する本発明の管理装置は以下に示す構成を備える。
情報処理装置であって、印刷ジョブと後処理ジョブを含むジョブを取得する取得手段と、前記印刷ジョブを実行するデバイスと、前記後処理ジョブを実行するデバイスと、を選択するための選択画面をディスプレイに表示する表示手段と、前記印刷ジョブを実行するデバイスと、前記後処理ジョブを実行するデバイスとを決定する決定手段と、前記印刷ジョブを実行するデバイスとして決定されたデバイスに前記印刷ジョブを送信し、前記後処理ジョブを実行するデバイスとして決定されたデバイスに前記後処理ジョブを送信する送信手段と、を有し、前記選択画面は、前記印刷ジョブを実行するデバイスの候補として、前記印刷ジョブを実行可能で、前記後処理ジョブを実行不可能な第１のデバイスと、前記印刷ジョブと前記後処理ジョブの両方を実行可能な第２のデバイスと、を少なくとも含み、かつ、前記後処理ジョブを実行するデバイスの候補として、前記印刷ジョブと前記後処理ジョブの両方を実行可能な前記第２のデバイスと、前記印刷ジョブを実行不可能で、前記後処理ジョブを実行可能な第３のデバイスと、を少なくとも含み、前記第２のデバイスは、前記印刷ジョブを実行するデバイスの候補として、かつ、前記後処理ジョブを実行するデバイスの候補として、表示され、前記後処理ジョブを実行するデバイスは、前記選択画面を介して選択されたデバイスに基づいて決定され、前記第２のデバイスが前記後処理ジョブを実行するデバイスとして選択された場合、前記第２のデバイスは前記印刷ジョブを実行するデバイスとして自動的に決定されることを特徴とする。
【手続補正５】
【補正対象書類名】明細書
【補正対象項目名】００２１
【補正方法】変更
【補正の内容】
【００２１】
図４Ａは、用紙設定シート（ＰａｐｅｒＳｅｔｔｉｎｇｓ）を表示した状態を示している。このシートでは、主に出力用紙におけるレイアウトを決めるための設定として以下の設定を行うことができる。例えば出力用紙サイズ（ＯｕｔｐｕｔＳｉｚｅ）とその向き、仕上がりサイズ（ＦｉｎｉｓｈｉｎｇＳｉｚｅ）とその向き（Ｏｒｉｅｎｔａｔｉｏｎ）、を設定することができる。さらに、面付けレイアウト（縦Ｍ個×横Ｎ個のレイアウト）、トンボ/ドブなどの設定を行うことができる。
【手続補正６】
【補正対象書類名】明細書
【補正対象項目名】００２２
【補正方法】変更
【補正の内容】
【００２２】
図４Ｂは、仕上げシート（Ｆｉｎｉｓｈｉｎｇ）を表示した状態を示している。このシートでは、片面/両面印刷、とじ方向/開き方向、開き方向、プリンタ付属のフィニッシャーを使用した後加工（ステイプル/パンチ/中とじ製本/くるみ製本など）の指定など、主にプリンタ付属のフィニッシャーに対する後処理設定を行うことができる。
図４Ｃは、印刷品質シート（Ｑｕａｌｉｔｙ）を表示した状態を示している。印刷品質シートでは、ドキュメントに対するカラーモード（Ｃｏｌｏｒ  Ｍｏｄｅ）に関する設定を行うことができる。
【手続補正７】
【補正対象書類名】明細書
【補正対象項目名】００３３
【補正方法】変更
【補正の内容】
【００３３】
図８は、図２に示したディスプレイ２０９に表示されるＵＩ画面を示す図である。本画面は、ジョブ管理アプリケーション２０８が提供するプリンタ１０２、および、ニアラインフィニッシャー１０４をジョブ管理アプリケーション２０８に対して登録するためのウィンドウ画面の一例である。
利用者はここで、ジョブ管理アプリケーション２０８からジョブの送信先としたいプリンタ１０２とニアラインフィニッシャー１０４を１つ以上ずつ登録することが可能となっている。
このプリンタ１０２のプリンタ追加画面（図８（ａ））およびフィニッシャー追加画面８１０（図８（ｂ））において、登録されたプリンタ１０２およびフィニッシャー１０４は、ジョブ管理画面６００において表示されるようになる。これにより、利用者により手動でも選択することが可能となる。
【手続補正８】
【補正対象書類名】明細書
【補正対象項目名】００４３
【補正方法】変更
【補正の内容】
【００４３】
これにより、後処理用デバイスとして、プリンタ付属のインラインフィニッシャーと、ニアラインフィニッシャー１０４を個別に１つ以上区別なく選択することが可能となる。
図７Ｂは、図８（ａ）のプリンタ追加画面８００において、利用者により、Ｐｒｉｎｔｅｒ１およびＰｒｉｎｔｅｒ３が登録された際の例である。具体的には、チェックボックス８０３において、「振り分け条件設定で後処理デバイスとして選択可能とする」設定が行われた場合の振り分け条件設定画面７００の表示の一例を示している。
図７Ｂの振り分け条件設定画面７００は、図７Ａに示した振り分け条件設定画面７００と異なり、後処理用デバイスとして、ニアラインフィニッシャー１０４だけでなく、Ｐｒｉｎｔｅｒ１とＰｒｉｎｔｅｒ３も選択できるようになっていることが判る。